(57)【要約】【課題】サイプの開口部の狭小化を抑制してエッジ効果や除水効果を確保しつつ、接地圧を均一化してアイス制動性能を向上することができる空気入りタイヤを提供すること。【解決手段】トレッド面に設けたブロック１にサイプ１０を形成し、そのサイプ１０の蹴り出し側及び踏み込み側のそれぞれに、サイプ長さ方向に延びる幅広部１１、１２を形成するとともに、サイプ１０の蹴り出し側における幅広部１１の高さＹ１の総和を、そのサイプ１０の踏み込み側における幅広部２１の高さＹ２の総和よりも大きくした。【選択図】図２
2008296613.tif 000002
【特許請求の範囲】
【請求項１】
トレッド面の陸部にサイプを形成した空気入りタイヤにおいて、前記サイプの蹴り出し側及び踏み込み側のそれぞれに、サイプ長さ方向に延びる幅広部を形成するとともに、前記サイプの蹴り出し側における前記幅広部の高さの総和を、そのサイプの踏み込み側における前記幅広部の高さの総和よりも大きくしたことを特徴とする空気入りタイヤ。
【請求項２】
前記サイプの蹴り出し側における前記幅広部の高さが、前記サイプの踏み込み側における前記幅広部の高さよりも大きい請求項１記載の空気入りタイヤ。
【請求項３】
トレッド面の陸部にサイプを形成した空気入りタイヤにおいて、前記サイプの蹴り出し側及び踏み込み側のそれぞれに、サイプ長さ方向に延びる幅広部を形成するとともに、前記サイプの蹴り出し側における前記幅広部をサイプ深さ方向に起伏を生ずるジグザグ状に形成し、そのサイプの踏み込み側における前記幅広部をストレート状に形成したことを特徴とする空気入りタイヤ。
【請求項４】
トレッド面の陸部にサイプを形成した空気入りタイヤにおいて、前記サイプの蹴り出し側及び踏み込み側のそれぞれに、サイプ長さ方向に延びる幅広部をサイプ深さ方向に起伏を生ずるジグザグ状に形成するとともに、前記サイプの蹴り出し側における前記幅広部の振幅を、前記サイプの踏み込み側における前記幅広部の振幅よりも大きくしたことを特徴とする空気入りタイヤ。
【発明の詳細な説明】
【技術分野】
【０００１】
本発明は、トレッド面の陸部にサイプを形成した空気入りタイヤに関し、特にスタッドレスタイヤとして有用である。
【背景技術】
【０００２】
従来、スタッドレスタイヤでは、ブロックやリブなどの陸部にサイプと呼ばれる切り込みを形成しており、このサイプによるエッジ効果や除水効果によって、摩擦係数が低い氷雪路面での走行性能を高めている。かかるサイプとしては、サイプ長さ方向に直線状に延びる直線サイプや、波状に延びる波形サイプなどが実用化されている。
【０００３】
ところで、ゴムは非圧縮性であるため、タイヤに荷重が作用した場合には、路面に接するトレッド面の動きが大きくなり、サイプの開口部が閉じ易くなる。特に、氷雪路面などの摩擦係数が低い路面においては、トレッド面が滑るために動き易く、サイプが容易に閉じて開口部が狭小化してしまうので、サイプが本来発揮すべきエッジ効果や除水効果が低下することがあった。
【０００４】
そこで、本発明者は、サイプ長さ方向に延びる複数の幅広部を有するサイプを形成した空気入りタイヤを発明した（下記特許文献１参照）。この空気入りタイヤによれば、トレッドゴムがサイプ深さ方向に撓み易くなるため、タイヤに荷重が作用した際には、該荷重による変形を幅広部にて吸収することができる。その結果、サイプの開口部の狭小化を抑制して、エッジ効果や除水効果を確保することができる。
【０００５】
ところが、本発明者が更に研究を重ねたところ、以下の事柄を見出した。即ち、上記の如き幅広部を有するサイプを形成した場合、トレッドゴムがサイプ深さ方向に撓み易くなることに起因して、氷雪路面でタイヤに制動力が負荷されると、図１１に概念的に示すように、サイプ６の蹴り出し側部分６１の接地圧が踏み込み側部分６２の接地圧に対して大きくなり、ブロック７の接地圧が不均一になることが判明した。このことから、アイス制動性能（氷雪路面での制動性能）を十分に発揮しているとは言えず、これを更に改善する余地があることが分かった。
【特許文献１】特開２００７−８３０３号公報
【発明の開示】
【発明が解決しようとする課題】
【０００６】
本発明は上記実情に鑑みてなされたものであり、その目的は、サイプの開口部の狭小化を抑制してエッジ効果や除水効果を確保しつつ、接地圧を均一化してアイス制動性能を向上することができる空気入りタイヤを提供することにある。
【課題を解決するための手段】
【０００７】
上記目的は、下記の如き本発明により達成することができる。即ち、本発明の空気入りタイヤは、トレッド面の陸部にサイプを形成した空気入りタイヤにおいて、前記サイプの蹴り出し側及び踏み込み側のそれぞれに、サイプ長さ方向に延びる幅広部を形成するとともに、前記サイプの蹴り出し側における前記幅広部の高さの総和を、そのサイプの踏み込み側における前記幅広部の高さの総和よりも大きくしたものである。
【０００８】
本発明の空気入りタイヤによれば、トレッドゴムの変形を幅広部にて吸収できるため、サイプの開口部の狭小化を抑制してエッジ効果や除水効果を確保することができる。しかも、サイプの蹴り出し側における幅広部の高さの総和が、そのサイプの踏み込み側における幅広部の高さの総和よりも大きいことにより、踏み込み側部分よりも蹴り出し側部分でサイプ深さ方向に撓み易く、タイヤに荷重が作用した際には、蹴り出し側の幅広部にて該荷重による変形をより多く吸収することができる。このため、氷雪路面でタイヤに制動力が負荷された場合には、サイプの蹴り出し側部分の接地圧を下げて陸部に作用する接地圧を均一化でき、それによってアイス制動性能を向上することができる。
【０００９】
上記において、前記サイプの蹴り出し側における前記幅広部の高さが、前記サイプの踏み込み側における前記幅広部の高さよりも大きいものが好ましく、これにより、幅広部の本数が蹴り出し側と踏み込み側とで同等であっても、幅広部の高さの総和を踏み込み側よりも蹴り出し側で大きくでき、接地圧を均一化してアイス制動性能を向上することができる。
【００１０】
また、本発明の別の空気入りタイヤは、トレッド面の陸部にサイプを形成した空気入りタイヤにおいて、前記サイプの蹴り出し側及び踏み込み側のそれぞれに、サイプ長さ方向に延びる幅広部を形成するとともに、前記サイプの蹴り出し側における前記幅広部をサイプ深さ方向に起伏を生ずるジグザグ状に形成し、そのサイプの踏み込み側における前記幅広部をストレート状に形成したものである。
【００１１】
上記の本発明の空気入りタイヤによれば、トレッドゴムの変形を幅広部で吸収できるため、サイプの開口部の狭小化を抑制してエッジ効果や除水効果を確保することができる。しかも、蹴り出し側の幅広部をサイプ深さ方向に起伏を生ずるジグザグ状に形成し、踏み込み側の幅広部をストレート状に形成していることから、踏み込み側部分よりも蹴り出し側部分でサイプ深さ方向に撓み易く、タイヤに荷重が作用した際には、蹴り出し側の幅広部にて該荷重による変形をより多く吸収することができる。これは、ジグザグ状の幅広部の方がストレート状の幅広部よりも面積が大きく、変形を吸収し易いことに起因するものである。このため、氷雪路面でタイヤに制動力が負荷された場合には、サイプの蹴り出し側部分の接地圧を下げて陸部に作用する接地圧を均一化でき、それによってアイス制動性能を向上することができる。
【００１２】
また、本発明の別の空気入りタイヤは、トレッド面の陸部にサイプを形成した空気入りタイヤにおいて、前記サイプの蹴り出し側及び踏み込み側のそれぞれに、サイプ長さ方向に延びる幅広部をサイプ深さ方向に起伏を生ずるジグザグ状に形成するとともに、前記サイプの蹴り出し側における前記幅広部の振幅を、前記サイプの踏み込み側における前記幅広部の振幅よりも大きくしたものである。
【００１３】
上記の本発明の空気入りタイヤによれば、トレッドゴムの変形を幅広部で吸収できるため、サイプの開口部の狭小化を抑制してエッジ効果や除水効果を確保することができる。しかも、蹴り出し側及び踏み込み側の幅広部をサイプ深さ方向に起伏を生ずるジグザグ状に形成するとともに、その蹴り出し側の幅広部の振幅が踏み込み側の幅広部の振幅よりも大きいことから、踏み込み側部分よりも蹴り出し側部分でサイプ深さ方向に撓み易く、タイヤに荷重が作用した際には、蹴り出し側の幅広部にて該荷重による変形をより多く吸収することができる。このため、氷雪路面でタイヤに制動力が負荷された場合には、サイプの蹴り出し側部分の接地圧を下げて陸部に作用する接地圧を均一化でき、それによってアイス制動性能を向上することができる。
【発明を実施するための最良の形態】
【００１４】
以下、本発明の実施の形態について、図面を参照しながら説明する。
【００１５】
［第１実施形態］
図１は、本発明の第１実施形態に係る空気入りタイヤのトレッド面を示す展開図である。図２は、そのトレッド面に設けられたブロックの要部を一部破断させて示す斜視図である。図３は、そのブロックに形成されたサイプの内壁面を示す正面図である。
【００１６】
本実施形態の空気入りタイヤは、図１に示すように、タイヤ幅方向に直線状に延びるサイプ１０が形成された複数のブロック１（陸部の一例）を有するトレッドパターンを備える。各ブロック１は、タイヤ周方向に延びる主溝２とタイヤ幅方向に延びる横溝３とによって区分されており、タイヤ赤道線Ｃに関して対称的に５列のブロック１が配列されている。なお、矢印Ｒはタイヤの回転方向を示す。
【００１７】
図２及び３に示すように、各ブロック１には、直線状の開口部１０ａを有する複数本（本実施形態では７本）のサイプ１０が、所定の間隔を設けて平行に形成されている。サイプ１０の蹴り出し側及び踏み込み側のそれぞれには、サイプ長さ方向（本実施形態ではタイヤ幅方向）にストレート状に延びる幅広部１１、１２が形成されている。幅広部１１は、サイプ１０を蹴り出し側（図２では左側）に拡幅してなり、幅広部１２は、サイプ１０を踏み込み側（図２では右側）に拡幅してなる。
【００１８】
このような幅広部１１、１２がサイプ１０に形成されていることにより、トレッドゴムの変形を幅広部１１、１２にて吸収して開口部１０ａの狭小化を抑制でき、サイプ１０によるエッジ効果や除水効果を確保することができる。特に本発明では、サイプ１０の蹴り出し側及び踏み込み側の両方に幅広部が形成されることから、いずれの方向からの荷重に対してもトレッドゴムがサイプ深さ方向に撓み易く、開口部１０ａの狭小化を抑制する効果を安定して奏することができる。
【００１９】
本実施形態では幅広部１１、１２がそれぞれ３本ずつ形成されており、幅広部１１の高さＹ１の総和Ｚ１（本実施形態では３×Ｙ１）が、幅広部１２の高さＹ２の総和Ｚ２（本実施形態では３×Ｙ２）よりも大きく設定されている。これにより、サイプ１０の踏み込み側部分よりも蹴り出し側部分の方で撓み易く、タイヤに荷重が作用した際には、幅広部１１にてトレッドゴムの変形をより多く吸収できる。このため、氷雪路面でタイヤに制動力が負荷された場合には、サイプ１０の蹴り出し側部分の接地圧を下げてブロック１に作用する接地圧を均一化でき、それによってアイス制動性能を向上することができる。
【００２０】
総和Ｚ１と総和Ｚ２との差（Ｚ１−Ｚ２）は、サイプ深さＤの１０％以上であることが好ましく、２０％以上であることがより好ましい。これが１０％未満であると、蹴り出し側部分と踏み込み側部分との撓み易さの違いが小さくなるため、ブロック１の接地圧を均一化する効果が小さくなる傾向にある。また、上記の差（Ｚ１−Ｚ２）は、サイプ深さＤの６０％以下であることが好ましく、４０％以下であることがより好ましい。これが６０％を超えるときは、幅広部１２の高さＹ２が相対的に小さくなることから、踏み込み側部分において変形を吸収する効果が小さくなる傾向にある。
【００２１】
本発明では、総和Ｚ１＞総和Ｚ２であれば、幅広部１１の高さＹ１を幅広部１２の高さＹ２と同等以下にしても構わないが、その場合には幅広部１１の本数を増やす必要が生じ、サイプ形成用金型としてのブレードの形成が困難になる傾向にある。そのため、本実施形態では、幅広部１１の高さＹ１を幅広部１２の高さＹ２よりも大きくしており、それによって、幅広部１１と幅広部１２とを同数としながらも、上記した幅広部１１、１２の高さの総和の関係を適切に満たしている。
【００２２】
幅広部１１の高さＹ１は、０．３〜２．５ｍｍであることが好ましく、１〜１．５ｍｍであることがより好ましい。また、高さＹ１の総和Ｚ１は、サイプ深さＤの９０％以下であることが好ましく、７０％以下であることがより好ましい。更に、高さＹ２の総和Ｚ２は、サイプ深さＤの１０％以上であることが好ましく、３０％以上であることがより好ましい。高さＹ１が０．３ｍｍ未満、或いは総和Ｚ２がサイプ深さＤの１０％未満であると、サイプ１０の開口部１０ａの狭小化を抑制する効果が小さくなる傾向にある。一方、高さＹ１が２．５ｍｍを超える、或いは総和Ｚ１がサイプ深さＤの９０％を超えると、ブロック１の剛性が低下して倒れ込みが過度に大きくなり、逆にエッジ効果が低下する場合がある。
【００２３】
幅広部１１、１２の突出高さｄ１、ｄ２は、サイプ幅Ｗ（開口部１０ａの厚み）に対して５０〜１５０％であることが好ましい。これが５０％未満であると、幅広部にて変形を吸収する効果が小さくなる傾向にあり、これが１５０％を超えると、ブロック１の剛性が低下して倒れ込みが過度に大きくなり、逆にエッジ効果が低下する場合がある。具体的な寸法としては、サイプ幅Ｗが０．３〜０．５ｍｍである場合に、幅広部１１、１２の突出高さｄ１、ｄ２が０．３〜１．２ｍｍ、好ましくは０．３〜０．７ｍｍであるものが例示される。
【００２４】
トレッドゴムの変形を適切に吸収する観点から、幅広部１１、１２は本実施形態のように複数本ずつ形成されることが好ましい。また、サイプ深さ方向に進むにつれて拡幅された部分が互い違いに現れるよう、幅広部１１と幅広部１２とが交互に配置されることが好ましい。これにより、サイプの幅が急激に大きくなることを回避して、偏摩耗などの不具合を防止することができる。
【００２５】
幅広部１１、１２の本数は特に制限されるものではないが、上述した高さＹ１、Ｙ２とサイプ深さＤとの関係から、それぞれ１〜３本ずつ形成されるものが例示される。なお、サイプ１０による十分なエッジ効果を発現する上で、サイプ深さＤは主溝２の深さの３０〜８０％が好ましく、サイプ幅Ｗは０．２〜０．７ｍｍが好ましい。
【００２６】
本発明では、サイプ密度が０．０５ｍｍ／ｍｍ２以上であることが好ましい。このサイプ密度が０．０５ｍｍ／ｍｍ２未満であると、サイプ１０が本来発揮すべき効果が適切に発揮されないことがある。また、ブロック１の剛性を適度に確保する観点から、サイプ密度は０．２ｍｍ／ｍｍ２を超えないことが好ましい。
【００２７】
本実施形態では、サイプ１０がサイプ長さ方向に直線状に延びる直線サイプである例を示したが、本発明はこれに限られず、波状に延びる波形サイプであっても構わない。波形サイプでは、直線サイプに比べてサイプの開口部が狭くなり難いので、上述した幅広部による開口部の狭小化を抑制する効果と相俟って、サイプによるエッジ効果や除水効果を効果的に確保できる。
【００２８】
本発明の空気入りタイヤは、陸部に上記の如きサイプが形成されること以外は、通常の空気入りタイヤと同等であり、従来公知の材料、形状、構造、製法などが何れも本発明に採用できる。
【００２９】
本発明は、いわゆる夏用タイヤにも適用できるが、アイス制動性能に優れていることから、特にスタッドレスタイヤ（冬用タイヤ）として有用である。
【００３０】
［第２実施形態］
第２実施形態は、サイプが以下の通りの構成である他は、第１実施形態と同様の構成・作用であるので、共通点を省略して主に相違点について説明する。なお、既出の部材、部位と同一の部材、部位については、同一の符号を付し、重複した説明を省略する。
【００３１】
図４は、本発明の第２実施形態に係る空気入りタイヤのトレッド面に設けられたブロックの要部を一部破断させて示す斜視図である。図５は、そのブロックに形成されたサイプの内壁面を示す正面図である。本実施形態では、サイプ２０の蹴り出し側及び踏み込み側のそれぞれに、サイプ長さ方向に延びる幅広部２１、２２が形成され、その幅広部２１、２２がサイプ深さ方向に起伏を生ずるジグザグ状に形成されている。
【００３２】
このようなジグザグ状の幅広部２１、２２は、前述のストレート状の幅広部に比べてサイプ深さ方向により撓み易く、トレッドゴムの変形を吸収する効果が大きい。また、ストレート状の幅広部では、タイヤ成形工程にてサイプ形成用金型としてのブレードをトレッド面から引き抜く際に、幅広部に対応したブレードの凹凸の境界部分に負荷がかかり、その部分でブレードの曲がりや折れが発生することが懸念されるが、ジグザグ状の幅広部２１、２２ではブレードにかかる負荷を抑制でき、かかる不具合の発生を防止できる。
【００３３】
本実施形態では、幅広部２１と幅広部２２との高さ及び振幅が同じであるものの、蹴り出し側に２本の幅広部２１が形成され、踏み込み側に１本の幅広部２２が形成されていることから、幅広部２１の高さＹ１の総和Ｚ１が幅広部２２の高さＹ２の総和Ｚ２よりも大きい。そのため、幅広部２２よりも幅広部２１の方でトレッドゴムの変形をより多く吸収し、氷雪路面でタイヤに制動力が負荷された場合には、サイプ２０の蹴り出し側部分の接地圧を下げてブロック１に作用する接地圧を均一化でき、アイス制動性能を向上することができる。
【００３４】
［第３実施形態］
第３実施形態は、サイプが以下の通りの構成である他は、第１実施形態と同様の構成・作用であるので、共通点を省略して主に相違点について説明する。なお、既出の部材、部位と同一の部材、部位については、同一の符号を付し、重複した説明を省略する。
【００３５】
図６は、本発明の第３実施形態に係る空気入りタイヤのトレッド面に設けられたブロックの要部を一部破断させて示す斜視図である。図７は、そのブロックに形成されたサイプの内壁面を示す正面図である。本実施形態では、サイプ３０の蹴り出し側及び踏み込み側のそれぞれに、サイプ長さ方向に延びる幅広部３１、３２を形成し、蹴り出し側の幅広部３１をサイプ深さ方向に起伏を生ずるジグザグ状に形成するとともに、踏み込み側の幅広部３２をストレート状に形成している。
【００３６】
本実施形態では、幅広部３１の高さＹ１の総和Ｚ１と幅広部３２の高さＹ２の総和Ｚ２とが同じである例を示す。第２実施形態にて説明したように、ジグザグ状の幅広部３１はストレート状の幅広部３２に比べてサイプ深さ方向に撓み易く、トレッドゴムの変形をより多く吸収する。そのため、氷雪路面でタイヤに制動力が負荷された場合には、サイプ３０の蹴り出し側部分の接地圧を下げてブロック１の接地圧を均一化でき、アイス制動性能を向上することができる。
【００３７】
この場合においても、前述の実施形態と同様に、幅広部３１の高さＹ１の総和Ｚ１が幅広部３２の高さＹ２の総和Ｚ２よりも大きいことが好ましい。但し、高さＹ１の総和Ｚ１と高さＹ２の総和Ｚ２とが同等であってもよく、その場合には、総和Ｚ１と総和Ｚ２との差の絶対値｜Ｚ１−Ｚ２｜がサイプ深さＤの４０％以下であることが好ましい。
【００３８】
［第４実施形態］
第４実施形態は、サイプが以下の通りの構成である他は、第１実施形態と同様の構成・作用であるので、共通点を省略して主に相違点について説明する。なお、既出の部材、部位と同一の部材、部位については、同一の符号を付し、重複した説明を省略する。
【００３９】
図８は、本発明の第４実施形態に係る空気入りタイヤのトレッド面に設けられたブロックの要部を一部破断させて示す斜視図である。図９は、そのブロックに形成されたサイプの内壁面を示す正面図である。本実施形態では、サイプ４０の蹴り出し側及び踏み込み側のそれぞれに、サイプ長さ方向に延びる幅広部４１、４２をサイプ深さ方向に起伏を生ずるジグザグ状に形成している。
【００４０】
本実施形態では、幅広部４１の高さＹ１の総和Ｚ１と幅広部４２の高さＹ２の総和Ｚ２とが同じである例を示す。幅広部４１の振幅Ａ１は幅広部４２の振幅Ａ２よりも大きく設定されており、それによって幅広部４１は幅広部４２に比べてサイプ深さ方向に撓み易く、トレッドゴムの変形をより多く吸収する。そのため、氷雪路面でタイヤに制動力が負荷された場合には、サイプ４０の蹴り出し側部分の接地圧を下げてブロック１の接地圧を均一化でき、アイス制動性能を向上することができる。
【００４１】
この場合においても、前述の実施形態と同様に、幅広部４１の高さＹ１の総和Ｚ１が幅広部４２の高さＹ２の総和Ｚ２よりも大きいことが好ましい。但し、高さＹ１の総和Ｚ１と高さＹ２の総和Ｚ２とが同等であってもよく、その場合には、総和Ｚ１と総和Ｚ２との差の絶対値｜Ｚ１−Ｚ２｜がサイプ深さＤの４０％以下であることが好ましく、振幅Ａ１と振幅Ａ２との差（Ａ１−Ａ２）がサイプ深さＤの２０％以上であることが好ましい。
【００４２】
［他の実施形態］
（１）本発明の空気入りタイヤが有するトレッドパターンは、特に限定されるものではない。したがって、例えば、平面視矩形のブロックに代えて、Ｖ字形や多角形、曲線基調など何れの形状のブロックにも適用できる。また、ブロックに代えて又は加えて、タイヤ周方向に沿って直線状又はジグザグ状に延びるリブを採用してもよい。更に、本発明では、上記の如きサイプ構造を、トレッドパターン内の全ての陸部に対して採用することができるが、トレッドパターン内の一部の陸部に対してだけ採用しても構わない。
【００４３】
（２）前述の実施形態では、サイプの両端がブロックの側壁で開口する両側オープンサイプである例を示したが、これに代えて、片端のみが開口した片側オープンサイプを採用してもよく、両端が閉塞したクローズドサイプを採用してもよい。また、サイプ長さ方向は、タイヤ幅方向に平行なものに限られず、タイヤ周方向や斜め方向であってもよい。
【００４４】
（３）図１０は、本発明の別実施形態に係るサイプの内壁面を示す正面図である。この例では、サイプの蹴り出し側及び踏み込み側のそれぞれに幅広部５１、５２が３本ずつ形成されており、蹴り出し側の幅広部５１は、幅広部５２と高さが同じ第１部分５１ａと幅広部５２よりも高さが大きい第２部分５１ｂとをサイプ長さ方向に連設して構成される。そして、ブロックの中央部では第２部分５１ｂが２つ配されているのに対し、その両端部では第２部分５１ｂが１つずつ配されている。
【００４５】
摩擦係数が低い路面では、図１１に示すように、陸部の中央部の接地圧が両端部に比べて高くなる傾向にあるが、上記構成によれば、幅広部５１の高さの総和を幅広部５２の高さの総和よりも大きくしながら、ブロックの中央部のサイプ深さ方向の撓み易さを両端部よりも高めることができるため、ブロックの接地圧をより均一化してアイス制動性能を向上することができる。
【００４６】
（４）ブロックに複数本のサイプを形成した場合においては、図１１に示すように、該ブロックの踏み込み側端に近いサイプほど、その蹴り出し側部分の接地圧が高くなる傾向にある。そこで、本発明では、ブロックの踏み込み側端から蹴り出し側端に向かって、サイプに形成した幅広部の高さの総和の差（Ｚ１−Ｚ２）を段階的に小さくすることが好ましく、これによりブロックに作用する接地圧をより好適に均一化して、アイス制動性能を向上することができる。
【実施例】
【００４７】
以下、本発明の構成と効果を具体的に示すため、アイス制動性能を評価したので説明する。アイス制動性能は、タイヤを実車（国産３０００ｃｃクラスのＦＲセダン）に装着し、アイス路面を走行して速度４０ｋｍ／ｈから制動力をかけてＡＢＳを作動させた際の制動距離を測定することで評価した。比較例１を１００としたときの指数で示し、数値が大きいほどアイス制動性能が良好であることを示す。
【００４８】
図１に示すようなトレッドパターンを有し、図２及び図３において、幅広部１１の高さＹ１と幅広部１２の高さＹ２とを同じにしたタイヤを比較例、幅広部１１の高さＹ１を幅広部１２の高さＹ２よりも大きくしたタイヤを実施例とした。タイヤサイズはいずれも２０５／６５Ｒ１５とし、サイプ深さＤを８ｍｍ、サイプ幅Ｗを０．３ｍｍ、幅広部１１、１２の突出高さｄ１、ｄ２を０．３ｍｍとした。評価結果を表１に示す。
【００４９】
【表１】
2008296613.tif 000003
【００５０】
表１の結果から、実施例では、サイプの蹴り出し側における幅広部の高さの総和を、踏み込み側における幅広部の高さの総和よりも大きくすることにより、比較例よりも優れたアイス制動性能を発揮できていることが分かる。
【図面の簡単な説明】
【００５１】
【図１】本発明の第１実施形態に係る空気入りタイヤのトレッド面を示す展開図
【図２】図１のトレッド面に設けられたブロックの要部を一部破断させて示す斜視図
【図３】図２のブロックに形成されたサイプの内壁面を示す正面図
【図４】本発明の第２実施形態に係るブロックの要部を一部破断させて示す斜視図
【図５】図４のブロックに形成されたサイプの内壁面を示す正面図
【図６】本発明の第３実施形態に係るブロックの要部を一部破断させて示す斜視図
【図７】図６のブロックに形成されたサイプの内壁面を示す正面図
【図８】本発明の第４実施形態に係るブロックの要部を一部破断させて示す斜視図
【図９】図８のブロックに形成されたサイプの内壁面を示す正面図
【図１０】本発明の別実施形態に係るサイプの内壁面を示す正面図
【図１１】幅広部を形成したブロックの制動時における接地圧分布を示す概念図
【符号の説明】
【００５２】
１      ブロック
１０，２０，３０，４０    サイプ
１１，２１，３１，４１    蹴り出し側の幅広部
１２，２２，３２，４２    踏み込み側の幅広部
Ａ１    蹴り出し側の幅広部の振幅
Ａ２    踏み込み側の幅広部の振幅
Ｄ      サイプ深さ
ｄ１    蹴り出し側の幅広部の突出高さ
ｄ２    踏み込み側の幅広部の突出高さ
Ｒ      タイヤの回転方向
Ｗ      サイプ幅
Ｙ１    蹴り出し側における幅広部の高さ
Ｙ２    踏み込み側における幅広部の高さ
【図１】
2008296613.tif 000004
【図２】
2008296613.tif 000005
【図３】
2008296613.tif 000006
【図４】
2008296613.tif 000007
【図５】
2008296613.tif 000008
【図６】
2008296613.tif 000009
【図７】
2008296613.tif 000010
【図８】
2008296613.tif 000011
【図９】
2008296613.tif 000012
【図１０】
2008296613.tif 000013
【図１１】
2008296613.tif 000014